(57)【要約】【課題】系統別に配された複数の照明器具の点灯による照明シーンを予め設定されたスケジュールに応じて制御する照明制御システムにおいて、照明全体の明るさや色の変化を、ユーザが直感的に把握することができるようにする。【解決手段】照明制御システム１は、複数の照明器具Ｌの点灯状態をスケジュールに応じて制御するコントローラ２を備える。コントローラ２は、照明器具Ｌの調光状態及び調色状態に関するスケジュールを時系列的にグラフ化して表示する表示部２５と、表示部２５に表示されたスケジュール中のシーン再生区間をユーザが指定するためのタッチパネル部２６と、スケジュールに従って照明器具Ｌを点灯させる信号を出力する信号出力部２１と、備える。表示部２５は、タッチパネル部２６においてスケジュールの任意の時点が指定されると、その指定時点における系統別に配された照明器具Ｌのシーン表示に切り替わる。【選択図】図２
2014044915.tif 000002
【特許請求の範囲】
【請求項１】
複数の系統別に配された複数の照明器具と、これらの照明器具の点灯による照明シーンを予め設定されたスケジュールに応じて制御するコントローラと、を備えた制御システムであって、
前記コントローラは、前記照明器具の調光状態及び調色状態に関するスケジュールを時系列的にグラフ化して表示する表示部と、前記表示部に表示されたスケジュール中のシーン再生区間を含む任意の時点をユーザが指定するためのタッチパネル部と、前記スケジュールに従って前記照明器具を点灯させる信号を出力する信号出力部と、備え、
前記表示部は、前記タッチパネル部において前記スケジュールの任意の時点が指定されると、前記スケジュールの表示から、その指定時点における前記系統別に配された照明器具のシーン表示に切り替わることを特徴とする制御システム。
【請求項２】
前記スケジュールは、前記表示部にグラフ化して表示されたスケジュール中のシーン再生区間がタッチ操作されることによって変更されることを特徴とする請求項１に記載の制御システム。
【請求項３】
前記スケジュールは、前記シーン再生区間がタッチ及びドラッグ操作されることにより変更されることを特徴とする請求項２に記載の制御システム。
【請求項４】
前記スケジュールは、前記表示部に表示された設定変更ボタンがタッチ操作されることにより変更されることを特徴とする請求項２又は請求項３に記載の制御システム。
【請求項５】
前記コントローラは、前記照明器具が配された空間を撮像した静止画を入力するための静止画像入力部を更に備え、
前記表示部は、前記静止画をアイコン化し、該アイコン化された静止画を、前記スケジュールと対応させて表示することを特徴とする請求項１乃至請求項４のいずれか一項に記載の制御システム。
【発明の詳細な説明】
【技術分野】
【０００１】
本発明は、複数の系統別に配された複数の照明器具の点灯による照明シーンを予め設定されたスケジュールに応じて制御する照明制御システムに関する。
【背景技術】
【０００２】
従来から、コンビニエンスストアやスーパーマーケット等において店舗内を照明する複数の照明器具の調光状態（照度）を予め設定されたタイムスケジュールに応じて制御し、省力化及び省エネ化を図る照明装置が知られている（例えば、特許文献１参照）。この照明装置では、制御装置に接続された複数の照明器具が予め設定されたタイムスケジュールに応じてそれぞれ照度、及び点消灯を制御することができる。
【０００３】
ところが、この装置では、タイムスケジュールに沿った全工程の調光制御が実施されるので、一部の時間帯についての調光状態のみを効率的に再現することができない。そこで、複数の照明器具が液晶タッチパネル搭載の制御装置に接続され、制御装置内のメモリに記録されたスケジュール情報が、液晶タッチパネルにグラフ化して表示されるようにした照明制御システムが知られている（例えば、特許文献２参照）。この照明制御システムでは、液晶タッチパネルの画面上にコマンド入力用のアイコンが設けられ、ユーザは液晶タッチパネルに表示されたスケジュールを参照しながら任意の時間帯の時間帯の調光制御を再現することができる。
【先行技術文献】
【特許文献】
【０００４】
【特許文献１】特開２００２−３７３７９４号公報
【特許文献２】特開２００８−１３５２２８号公報
【発明の概要】
【発明が解決しようとする課題】
【０００５】
ところで、近年では、照明器具に出力される調光信号としてＤＡＬＩやＤＭＸ等のデジタル調光信号が用いられ、また、多数の照明器具が複数の系統（ゾーン）別に配されて、それらの照明器具が各々に割り付けたアドレス単位で制御される。しかしながら、上記特許文献２に記載の照明制御システムでは、複数のゾーンにおける照明全体の明るさの変化を、ユーザが直感的に把握することができない。また、発光色が異なる複数種のＬＥＤや有機ＥＬ素子等を用いた色温度可変型の照明器具が普及しており、照明光の色温度も設定パラメータとなり得る。しかし、上記特許文献２に記載の照明制御システムでは、主として照明光の明るさに関するスケジュールを表示するので、色温度については対応していない。
【０００６】
本発明は、上記課題を解決するものであり、系統別に配された複数の照明器具の点灯状態が予め設定されたスケジュールに応じて制御されるときに、照明全体の明るさや色の変化を、ユーザが直感的に把握することができる照明制御システムを提供することを目的とする。
【課題を解決するための手段】
【０００７】
上記課題を解決するために、本発明は、複数の系統別に配された複数の照明器具と、これらの照明器具の点灯による照明シーンを予め設定されたスケジュールに応じて制御するコントローラと、を備えた制御システムであって、前記コントローラは、前記照明器具の調光状態及び調色状態に関するスケジュールを時系列的にグラフ化して表示する表示部と、前記表示部に表示されたスケジュール中のシーン再生区間を含む任意の時点をユーザが指定するためのタッチパネル部と、前記スケジュールに従って前記照明器具を点灯させる信号を出力する信号出力部と、備え、前記表示部は、前記タッチパネル部において前記スケジュールの任意の時点が指定されると、前記スケジュールの表示から、その指定時点における前記系統別に配された照明器具のシーン表示に切り替わることを特徴とする。
【０００８】
上記照明制御システムにおいて、前記スケジュールは、前記表示部にグラフ化して表示されたスケジュール中のシーン再生区間がタッチ操作されることによって変更されることが好ましい。
【０００９】
上記照明制御システムにおいて、前記スケジュールは、前記シーン再生区間がタッチ及びドラッグ操作されることにより変更されることが好ましい。
【００１０】
上記照明制御システムにおいて、前記スケジュールは、前記表示部に表示された設定変更ボタンがタッチ操作されることにより変更されることが好ましい。
【００１１】
上記照明制御システムにおいて、前記コントローラは、前記照明器具が配された空間を撮像した静止画を入力するための静止画像入力部を更に備え、前記表示部は、前記静止画をアイコン化し、該アイコン化された静止画を、前記スケジュールと対応させて表示することが好ましい。
【発明の効果】
【００１２】
本発明によれば、照明器具の調光状態及び調色状態に関するスケジュールを表示する表示部が、スケジュールの表示から、ユーザにより指定されたスケジュールの時点の照明シーンを、系統別に配された照明器具の模式化により表現されるシーン表示に切り替わるので、照明全体の明るさや色の変化をユーザが直感的に把握することができる。
【図面の簡単な説明】
【００１３】
【図１】本発明の第１の実施形態に係る照明制御システムのブロック構成図。
【図２】同照明制御システムのブロック構成図。
【図３】同照明制御システムのコントローラの表示部に表示されるスケジュール設定画面を示す図。
【図４】同スケジュール設定画面におけるスケジュール表のズーム表示を示す図。
【図５】同スケジュール設定画面を示す図。
【図６】同照明制御システムのコントローラの表示部に表示されるシーン表示画面を示す図。
【図７】同シーン表示画面における設定変更ウィンドウを示す図。
【図８】（ａ）乃至（ｄ）は同スケジュール設定画面において、明るさを変更するときの手順を説明するための図。
【図９】（ａ）乃至（ｄ）は同スケジュール設定画面において、色温度を変更するときの手順を説明するための図。
【図１０】（ａ）乃至（ｄ）は同スケジュール設定画面において、明るさを変更するときの別の手順を説明するための図。
【図１１】（ａ）乃至（ｄ）は同スケジュール設定画面において、シーン再生区間を変更するときの手順を説明するための図。
【図１２】同スケジュール設定画面において、詳細設定ウィンドウを示す図。
【図１３】本発明の第２の実施形態に係る照明制御システムのブロック構成図。
【図１４】同照明制御システムのコントローラの表示部に表示されるスケジュール設定画面を示す図。
【図１５】同スケジュール設定画面において、シーンアイコン表示ウィンドウを示す図。
【図１６】同スケジュール設定画面において、シーンアイコン表示ウィンドウを示す図。
【図１７】上記第２の実施形態の変形例に係る照明制御システムのブロック構成図。
【発明を実施するための最良の形態】
【００１４】
本発明の第１の実施形態に係る照明制御システムについて、図１乃至図１２を参照して説明する。図１に示すように、本実施形態の照明制御システム１は、所定の空間に複数の系統別に配された複数の照明器具Ｌ１１〜Ｌ１ｎ、Ｌ２１〜Ｌ２ｎ、Ｌ３１〜Ｌ３ｎ（以下、総称して照明器具Ｌという）と、各照明器具Ｌの明るさ及び色温度等の点灯状態を変化させて実現される照明シーンを、予め設定されたスケジュールに応じて制御するコントローラ２と、を備える。この照明制御システム１は、例えば、コンビニエンスストアやスーパーマーケット等の店舗内や、オフィスビルの会議室等に好適に用いられる。
【００１５】
図２に示すように、コントローラ２は、スケジュールに従って照明器具Ｌを点灯させる所定の信号を出力する信号出力部２１と、時刻を計時する計時部２２と、後述するスケジュール情報等を記憶する記憶部２３と、信号出力部２１等を動作させる制御部２４と、を備える。また、コントローラ２は、照明器具Ｌの調光状態及び調色状態に関するスケジュールを時系列的にグラフ化して表示する表示部２５と、表示部２５に表示されたスケジュール中のシーン再生区間を含む任意の時点又は区間をユーザが指定するためのタッチパネル部２６と、を備える。表示部２５は、制御部２４の指示を受けて表示ドライバ部２７によって駆動される。なお、シーン再生区間とは、照明光の明るさ及び色温度がある所定値に設定されたシーンの開始時間から終了時間の期間をいう。
【００１６】
コントローラ２は、屋内の壁面等に取り付けられて、各照明器具Ｌと有線接続されて調光信号を出力する、又は壁面等に取り外し自在とされて照明器具Ｌと有線接続された別途の制御装置（不図示）との間で無線通信により所定の制御信号を伝送し、この制御信号に基づいて上記制御装置が調光信号を出力する。後者の場合、コントローラ２として、専用のソフトウェアをインストールしたタブレット端末又はスマートフォン等の多機能携帯端末を用いることができる。また、コントローラ２は、外部電源から所要電力を得る制御電源部又は所定容量のバッテリー（いずれも不図示）を備える。なお、ここでいう調光信号には、各照明器具Ｌの調光率や色温度を規定するためのデジタル調光信号（ＤＡＬＩ、ＤＭＸ等）又はＰＷＭ信号等が挙げられる。また、上記制御信号は、上記制御装置に上記調光信号を出力させるための指令情報及び各照明器具Ｌの属性等のシリアル情報等を含む。
【００１７】
信号出力部２１は、制御部２４の指示を受けて、記憶部２３に記憶されたスケジュール情報に従って、照明器具Ｌに所定の信号を出力する。計時部２２には、汎用のクロック素子が用いられ、２４時間スケジュール制御を行なうための現在時刻を計時する。記憶部２３には、ＥＥＰＲＯＭ等の不揮発性記憶素子が用いられる、又は制御部２４に用いられるマイコン（例えば、ワンチップマイコン）に内蔵のものが用いられる。この記憶部２３には、スケジュール情報等の設定情報や、各照明器具のＩＤ等の識別情報が記憶される。制御部２４には、汎用のマイクロコンピュータ（ＣＰＵ）が用いられる。表示部２５には、ＬＥＤ等のバックライトを備えた液晶ディスプレイ、又は有機ＥＬディスプレイ等が用いられる。表示ドライバ部２７は、記憶部２３に記憶されたスケジュール情報をグラフ化して表示部２５に表示させる。タッチパネル部２６は、抵抗膜方式又は静電方式等により、表示部２５上に接触するユーザの指先の位置を検出する。
【００１８】
照明器具Ｌは、照明負荷３１と、信号出力部２１からの信号を受信する信号受信部３２と、照明負荷３１を点灯させる所要電力を供給する点灯回路部３３と、これらを駆動する制御部３４と、を備える。また、商用電源を点灯回路部３３で用いられる所定の電流に変換変圧する電源部（不図示）を備える。照明負荷３１は、発光色が異なる複数種のＬＥＤや有機ＥＬ素子等を組み合わせることにより、照射光の色温度が可変となるように構成される。点灯回路部３３は、制御部３４の指示を受けて照明負荷３１に所定の電流を供給するためのスイッチ回路及び変圧回路等を備える。制御部３４は、汎用の照明制御用マイコン及びメモリ等から構成される。このメモリには、照明器具Ｌの個体識別情報や、システム内の所属系統に関する情報等が記録される。
【００１９】
コントローラ２の表示部２５には、図３乃至図６に示すように、照明制御システム１を採用した照明エリアにおけるスケジュール情報がグラフ化して表示される。この表示部２５はタッチパネル部２６として構成されている。
【００２０】
図３は、スケジュール設定画面を示す。このスケジュール設定画面には、スケジュール名表示欄、グラフ化されたスケジュール表、現在時刻表示欄、及び各種ボタンが表示される。スケジュール表では、横軸を時刻バー、縦軸を明るさバーとし、グラフ線は明るさの時系列的な変化を表現する。また、スケジュール表には、縦軸と並行にシーン設定用時刻線が表示される。また、一つのシーン再生区間は、スケジュール表の水平なグラフ線により規定され、隣合うシーン再生区間は、フェード動作区間によって接続される。このスケジュール表は、グラフ線が高い時間帯は明るく、グラフ線が低い時間帯は暗くなるように全体の照明が制御されていることを表現する。また、グラフ線と時刻バー、及びシーン設定用時刻線によって囲まれる領域（以下、グラフ内領域）が色分けされることによって、色温度が表示される。色温度は、例えば、高い順に青→白→黄→橙→赤で表示される。
【００２１】
各種ボタンには、調光レベル設定ボタン及び調光レベルｕｐ／ｄｏｗｎボタン、色温度設定ボタン及び色温度ｕｐ／ｄｏｗｎボタン、ズームイン／ズームアウトボタン、詳細設定入力ボタン、及びスケジュール設定完了を入力するための決定ボタンがある。ユーザがズームインボタンを指でタッチすると、図４に示すように、スケジュール表が拡大表示される。また、スケジュール表内のグラフ線等が表示されていないエリアをユーザが指でタッチした後、そのままスライドする操作（以下、ドラッグ操作）を行なうと、拡大されたスケジュール表をスクロール移動させることができる。
【００２２】
また、コントローラ２は、表示部２５（タッチパネル部２６）においてスケジュール表のいずれかの時点が指定されると、その指定時点における照明シーンを、系統別に配された各照明器具の模式化により表現するシーン表示画面に切り替える。図５に示すように、ここでは、１２：００のシーン設定用時刻線がユーザの指でタッチされたとする。このとき、表示部２５は、図６に示すように、その指定時点（本例では１２：００）において系統別（図例ではゾーン１〜３の３系統）に配された各照明器具Ｌの照明シーンを表現する。シーン表示画面は、配線図面上に照明器具Ｌの模式図（アイコン）を貼り合わせた図を表示したものであり、各照明器具Ｌのアイコンが、そのシーンの調光レベルに応じた明るさ及び色になるように表現される。従って、系統別に配された複数の照明器具Ｌの点灯状態が予め設定されたスケジュールに応じて制御されるときに、照明全体の明るさや色の変化を、ユーザが直感的に把握することができる。
【００２３】
また、ユーザが指でそのシーン表示画面上の照明器具Ｌをタッチすると、図７に示すように、その照明器具Ｌが属する系統（ゾーン）の調光状態及び調色状態を設定できるカーソ等を有する設定変更ウィンドウが表示され、ゾーン毎に調光状態等を変更することができる。この設定変更ウィンドウは、カーソル等の箇所以外の部分をドラッグすることで、表示部２５上のいずれの位置にも移動させることができる。上記カーソルがタッチされた後、設定変更ウィンドウ内の決定ボタンがタッチされると、図６で示した画像に戻る。なお、表示部２５（タッチパネル部２６）上において、いずれのゾーンにも属さないエリアがタッチされると、図４及び図５に示したスケジュール表示画面に戻る。なお、スケジュール表示は、システム内に配された全照明器具Ｌの平均的な調光・調色状態を示すように設定される。
【００２４】
図８（ａ）乃至（ｄ）は、所定のシーンが再生されるように設定されたスケジュールにおいて、照明の「明るさ」を変更する手順を示す。図８（ａ）に示す初期状態から、図８（ｂ）に示すように、ユーザがグラフ線の所定位置を指でタッチすると、変更対象のシーン再生区間が指定され、その区間が黒枠で囲われる。明るさの変更は、グラフ線における水平区間（時間バーに平行な区間）がタッチ操作され、更に上下操作がなされることを操作入力時のトリガ情報とする。このとき、調光レベル設定ボタンの「明るさ」の表示が、調光率の数値「％」に切り替わる。次に、図８（ｃ）に示すように、水平区間をドラッグすると、指の動きに合わせてグラフ線が移動し、調光率の数値「％」も増減する。このとき、ドラッグされた水平区間に合わせて、その両隣のシーン再生区間とを結ぶフェード動作区間のグラフ線も移動する。そして、図８（ｄ）に示すように、所定位置でタッチパネル部２６から指を離すと、そのグラフの高さに対応する調光率に、そのシーン再生区間の明るさが設定される。つまり、ユーザは、表示部２５に表示されたグラフ線の水平区間を上下に動かすことにより、あるスケジュールにおける照明の「明るさ」を容易に変更することができる。また、図４に示したように、ズームボタンをタッチして、スケジュール表を拡大表示した後に、上記操作を行なえば、明るさを詳細に設定することができる。
【００２５】
図９（ａ）乃至（ｄ）は、所定のシーンが再生されるように設定されたスケジュールにおいて、照明の「色」を変更する手順を示す。図９（ａ）に示す初期状態から、図９（ｂ）に示すように、ユーザがグラフ内領域を指でタッチすると、変更対象のシーン再生区間が指定され、その区間が黒枠で囲われる。色温度の変更は、このグラフ内領域がタッチ操作され、更に上下操作がなされることを操作入力時のトリガ情報とする。このとき、色温度設定ボタンの「色」との表示が、色温度の数値「Ｋ」に切り替わる。そして、図９（ｃ）に示すように、グラフ内領域内で指をタッチした状態で上下に動かすと、その動作の開始時にグラフ内区間の色が変化し、タッチ状態の時間に応じて色温度の数値「Ｋ」が増減する。そして、図９（ｄ）に示すように、所定位置でタッチパネル部２６から指を離すと、色温度の数値「Ｋ」が変化が停止し、そのグラフの色に対応する色温度が、そのシーン再生区間の色温度として設定される。つまり、ユーザは、表示部２５に表示されたグラフ内領域をタッチした後、指を上下に動かすことにより、色温度を上げるか下げるかを指定し、タッチ時間を調整することで、あるスケジュールにおける照明の「色」を容易に変更することができる。
【００２６】
図１０（ａ）乃至（ｄ）は、所定のシーンが再生されるように設定されたスケジュールにおいて、照明の「明るさ」を変更する、上記とは別の手順を示す。まず、図１０（ａ）に示すように、ユーザが調光レベル設定ボタンを指でタッチすると、図１０（ｂ）に示すように、調光レベル設定ボタンの「明るさ」の表示が、調光率の数値「％」に切り替わる。続いて、ユーザがグラフ線の所定位置又はグラフ内領域を指でタッチするとすると、変更対象のシーン再生区間が指定され、その区間が黒枠で囲われる。次に、図１０（ｃ）に示すように、ユーザが調光レベルｕｐ／ｄｏｗｎボタンを指でタッチすると、タッチ毎に所定値、又はタッチした状態を持続するとその持続時間に応じて、調光率の数値「％」が増減し、これに対応してスケジュール表のグラフ線も変化する。そして、図１０（ｄ）に示すように、調光レベル設定ボタンを再度タッチすると、調光レベル設定ボタンに表示された調光率が、そのシーン再生区間の明るさとして設定される。なお、ユーザが色温度設定ボタンを指でタッチすれば、同様の操作により。色温度を変更することができる。この手順は、コントローラ２として、表示部２５（タッチパネル部２６）が比較的小さい端末が用いられ、スケジュール表のグラフ線をタッチ操作し難いときに、好適に用いられる。
【００２７】
図１１（ａ）乃至（ｄ）は、所定のシーンが再生されるように設定されたスケジュールにおいて、シーン再生区間を変更する手順を示す。図１１（ａ）に示すように、ユーザがグラフ線の所定位置を指でタッチすると、変更対象のシーン再生区間が指定され、その区間が黒枠で囲われると共に、この黒枠の両端のシーン設定用時刻線がグラフ外に延長表示される。次に、図１１（ｂ）に示すように、ユーザがシーン設定用時刻線の延長表示部分をタッチし、更に、図１１（ｃ）に示すように、指をタッチした状態で左右にスライド（ドラッグ）すると、指の動きに合わせてシーン設定用時刻線が移動する。そして、図１１（ｄ）に示すように、所定位置でタッチパネル部２６から指を離すと、その位置で、シーン設定用時刻（図例ではシーン再生開示時刻）が設定される。つまり、表示部２５に表示されたシーン再生区間を指定した上で、シーン設定用時刻線を左右に動かすことにより、あるスケジュールにおける照明のシーン再生区間を容易に変更することができる。
【００２８】
また、図１２に示すように、シーン再生区間を指定した後、ユーザが詳細設定ボタンをタッチすると、詳細設定ウィンドウが表示され、このウィンドウに配された各ボタンをタッチすることで、シーン再生区間及び調光レベル（明るさ）を変更することができる。この詳細設定ウィンドウも、ドラッグ操作により表示部２５上のいずれの位置にも移動させることができる。
【００２９】
次に、本発明の第２の実施形態に係る照明制御システムについて、図１３乃至図１６を参照して説明する。図１３に示すように、本実施形態の照明制御システム１は、コントローラ２は、照明器具Ｌが配された空間を撮像した静止画を入力するための静止画像入力部２８を更に備えるものである。また、表示部２５は、この静止画をアイコン化し、アイコン化された静止画を、スケジュール表と対応させて表示する。静止画像入力部２８には、例えば、フラッシュメモリ等からデータを読み込む汎用のリーダが用いられる。静止画像入力部２８は、フラッシュメモリ等がから静止画を読み込み、記憶部２３に記録する。なお、静止画像入力部２８は、デジタルカメラから記憶部２３に静止画のデータを転送するための汎用のＵＳＢ接続端子（不図示）、又はＮＦＣ／ＦｅｌｉＣａ，ＩｒＤＡ（赤外線）、無線ＬＡＮ（ＷｉＦｉ）等の無線通信部であってもよい。静止画を読み込む際には、その静止画に映された照明空間の調光状態及び色温度状態に関するデータが、画像と対応付けられて記憶部２３に記憶される。これらのデータは、各シーン再生時に別途計測されてもよいが、パソコン等の配光シミュレーションソフトで再現したデータが取り込まれてもよい。また、静止画に換えて、グラフィックソフト等で作製されたデザイン図等を用いることもできる。
【００３０】
本実施形態では、図１４に示すように、スケジュール表示画面において、シーンアイコン表示ボタンが表示される。このシーンアイコン表示ボタンがタッチされると、図１５に示すように、静止画像入力部２８によって入力された静止画のアイコンを表示するシーンアイコン表示ウィンドウが表示される。このとき、シーンアイコンは、スケジュール表の点灯状態と同じ又は近似するものが、スケジュール表の時刻バーと概ね対応する位置に複数横並びに表示される。また、このアイコンは、タッチ操作により拡大でき、スライドキー（左右矢印）を操作することにより、拡大するシーンアイコンを選択することができる。こうすれば、スケジュール制御の各シーンを画像データで示し、スケジュールの任意の時点でのイメージをユーザが直感的に容易に確認することができる。なお、シーンアイコン表示ウィンドウのポップアップ時には、他のタッチ操作がなければ、現在時刻に対応するシーンアイコンが拡大表示される。
【００３１】
また、図１５に示したように、所定のシーンアイコンをスケジュール上にドラッグすると、ドラッグ先のシーン再生区間のシーン設定が、図１６に示すように、そのシーンアイコンに対応付けられた調光状態及び色温度状態に変更される。このとき、スケジュール表のグラフ線も変化する。こうすれば、スケジュール動作中にシーン操作を行なう場合に、容易にシーンを選択、変更することができる。
【００３２】
上記第２の実施形態の変形例について、図１７を参照して説明する。この変形例は、上記実施形態の静止画像入力部２８に換えて、静止画像撮像部２８Ａを備えたものである。静止画像撮像部２８Ａは、ＣＣＤやＣＭＯＳ等の汎用のイメージセンサ及び光学レンズ等から構成される。この変形例におけるコントローラ２には、いわゆるカメラ付きのスマートフォン又はタブレット端末が好適に用いられる。また、コントローラ２は、壁面等に設けられた専用のコネクタ２９を介して照明器具Ｌ又は制御装置（不図示）に接続され、所定の制御信号を伝送し、この制御信号に基づいて上記制御装置が調光信号を出力する。
【００３３】
この変形例によれば、別途のカメラ等を用いることなく、コントローラ２を用いて静止画を簡易に入力することができる。また、専用のソフトウェアをインストールすることで、コントローラ２として、ユーザは、汎用のスマートフォン又はタブレット端末を用いて、上述したシーン操作を簡易に行なうことができる。
【００３４】
なお、本発明は上記実施形態の構成に限られず、種々の変形が可能である。上述した実施形態においては、スケジュール設定画面のスケジュール表（図３参照）では、グラフ内領域の色分けにより照明光の色温度を表示している。しかし、色温度はシーン表示画面でも容易に把握することができるので、スケジュール設定画面では表示されなくてもよい。また、グラフ内領域の色分けは、照明レベルに応じてなされてもよい。ここでの色分けは、例えば、照明レベルの高い順に、白→赤→橙→黄→緑→青→黒といったように、サーモグラフィと同様の表現を採用することができる。こうすれば、グラフ線の高低だけでなく、色で調光レベルが表現されるので、ユーザがより直感的に照明シーンの調光レベルを把握することができる。また、例えば、上述したシーン表示画面（図６参照）は、図示した二次元図に限らず、三次元図であってもよく、この三次元図をコントローラ２の静止画像撮像部２８Ａで撮像した静止画に基づいて作製されてもよい。
【符号の説明】
【００３５】
１    照明制御システム
２    コントローラ
２１    信号出力部
２５    表示部
２６    タッチパネル部
２８    静止画像入力部
Ｌ    照明器具
【図１】
2014044915.tif 000003
【図２】
2014044915.tif 000004
【図３】
2014044915.tif 000005
【図４】
2014044915.tif 000006
【図５】
2014044915.tif 000007
【図６】
2014044915.tif 000008
【図７】
2014044915.tif 000009
【図８】
2014044915.tif 000010
【図９】
2014044915.tif 000011
【図１０】
2014044915.tif 000012
【図１１】
2014044915.tif 000013
【図１２】
2014044915.tif 000014
【図１３】
2014044915.tif 000015
【図１４】
2014044915.tif 000016
【図１７】
2014044915.tif 000017
【図１５】
2014044915.tif 000018
【図１６】
2014044915.tif 000019